【手続補正書】
【提出日】平成16年1月21日(2004.1.21)
【手続補正１】
【補正対象書類名】明細書
【補正対象項目名】特許請求の範囲
【補正方法】変更
【補正の内容】
【特許請求の範囲】
【請求項１】
用紙を供給する複数の給紙手段と、
この複数の給紙手段のうちの１つの給紙手段から供給される用紙に画像を形成する画像形成手段と、
この画像形成手段で画像が形成される用紙を供給する給紙手段に用紙が無くなった際、当該給紙手段に収納されていた用紙と同じサイズの用紙を収納している他の給紙手段から自動的に用紙を供給して画像形成動作を継続する制御を行う自動給紙制御手段と、
上記複数の給紙手段における給紙手段毎に上記自動給紙制御手段の実行許可、実行禁止を設定する設定手段と、
この設定手段で設定された実行許可、実行禁止の情報を記憶する記憶手段と、
上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行許可であった場合に上記自動給紙制御手段を実行する実行手段と、
上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行禁止であった場合に当該給紙手段に用紙が無くなったことを表示する表示手段と、
を具備したことを特徴とする画像形成装置。
【請求項２】
複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成装置において、
上記複数の給紙手段のうち、手差しで用紙を供給する給紙手段が選択された際、上記自動給紙制御手段の実行許可、または実行禁止を指示する指示手段と、
上記手差しで用紙を供給する給紙手段で用紙の供給が無くなった際、上記指示手段の指示が実行許可であった場合に上記自動給紙制御手段を実行する実行手段と、
上記手差しで用紙を供給する給紙手段で用紙の供給が無くなった際、上記指示手段の指示が実行禁止であった場合に当該給紙手段に用紙が無くなったことを表示する表示手段と、
を具備したことを特徴とする画像形成装置。
【請求項３】
複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成装置において、
上記画像形成装置で画像を形成する画像形成条件を入力する入力手段と、
この入力手段で入力された画像形成条件に応じて上記自動給紙制御手段の実行許可、または実行禁止を判断する判断手段と、
上記複数の給紙手段のうちの１つの給紙手段から供給される用紙に画像を形成中に当該給紙手段に用紙がなくなった際、上記判断手段の判断が実行許可であった場合に上記自動給紙制御手段を実行する実行手段と、
上記複数の給紙手段のうちの１つの給紙手段から供給される用紙に画像を形成中に当該給紙手段に用紙がなくなった際、上記判断手段の判断が実行禁止であった場合に当該給紙手段に用紙が無くなったことを表示する表示手段と、
を具備したことを特徴とする画像形成装置。
【請求項４】
用紙を供給する複数の給紙手段のうちの１つの給紙手段から供給される用紙に画像を形成し、この画像が形成される用紙を供給する給紙手段に用紙が無くなった際、当該給紙手段に収納されていた用紙と同じサイズの用紙を収納している他の給紙手段から自動的に用紙を供給して画像形成動作を継続する自動給紙制御を行い、上記複数の給紙手段における給紙手段毎に上記自動給紙制御の実行許可、実行禁止を設定し、この設定された実行許可、実行禁止の情報を記憶し、上記複数の給紙手段のうちの１つの給紙手段から供給される用紙に画像を形成中に当該給紙手段に用紙がなくなった際、上記記憶されている当該給紙手段の設定情報が実行許可であった場合に上記自動給紙制御を実行し、上記複数の給紙手段のうちの１つの給紙手段から供給される用紙に画像を形成中に当該給紙手段に用紙がなくなった際、上記記憶されている当該給紙手段の設定情報が実行禁止であった場合に当該給紙手段に用紙が無くなったことを表示するようにしたことを特徴とする画像形成方法。
【請求項５】
複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成方法であって、
上記複数の給紙手段のうち、手差しで用紙を供給する給紙手段が選択された際、上記自動給紙制御手段の実行許可、または実行禁止を指示し、上記手差しで用紙を供給する給紙手段で用紙の供給が無くなった際、上記指示が実行許可であった場合に上記自動給紙制御手段を実行し、上記手差しで用紙を供給する給紙手段で用紙の供給が無くなった際、上記指示が実行禁止であった場合に当該給紙手段に用紙が無くなったことを表示するようにしたことを特徴とする画像形成方法。
【請求項６】
複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成方法であって、
画像形成条件を入力し、この入力された画像形成条件に応じて上記自動給紙制御手段の実行許可、または実行禁止を判断し、上記複数の給紙手段のうちの１つの給紙手段から供給される用紙に画像を形成中に当該給紙手段に用紙がなくなった際、上記判断が実行許可であった場合に上記自動給紙制御手段を実行し、上記複数の給紙手段のうちの１つの給紙手段から供給される用紙に上記画像形成手段で画像を形成中に当該給紙手段に用紙がなくなった際、上記判断が実行禁止であった場合に当該給紙手段に用紙が無くなったことを表示するようにしたことを特徴とする画像形成方法。
【請求項７】
複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成装置において、
上記複数の給紙手段の１つである手差し用給紙手段に用紙が挿入されたことを検知する手差し用紙検知手段と、
この手差し用紙検知手段により上記手差し用給紙手段に用紙が挿入されたことが検知されたとき、上記手差し用給紙手段に対して上記自動給紙手段を設定するか否かを利用者に問い合わせる問合手段と、
を具備したことを特徴とする画像形成装置。
【請求項８】
用紙を供給する複数の給紙手段と、
この複数の給紙手段のうちの１つの給紙手段から供給される用紙に画像を形成する画像形成手段と、
この画像形成手段で画像が形成される用紙を供給する給紙手段に用紙が無くなった際、当該給紙手段に収納されていた用紙と同じサイズの用紙を収納している他の給紙手段から自動的に用紙を供給して画像形成動作を継続する制御を行う自動給紙制御手段と、
上記複数の給紙手段における給紙手段毎に上記自動給紙制御手段の実行許可、実行禁止を設定する設定手段と、
を具備したことを特徴とする画像形成装置。
【請求項９】
用紙を供給する複数の給紙手段と、
この複数の給紙手段のうちの１つの給紙手段から供給される用紙に画像を形成する画像形成手段と、
この画像形成手段で画像が形成される用紙を供給する給紙手段に用紙が無くなった際、当該給紙手段に収納されていた用紙と同じサイズの用紙を収納している他の給紙手段から自動的に用紙を供給して画像形成動作を継続する制御を行う自動給紙制御手段と、
上記画像形成手段で画像を形成する画像形成条件を入力する入力手段と、
この入力手段で特定の画像形成条件が入力された際、上記自動給紙制御手段による制御を禁止する禁止手段と、
を具備したことを特徴とする画像形成装置。
【請求項１０】
用紙を供給する複数の給紙手段と、
この複数の給紙手段のうちの１つの給紙手段から供給される用紙に画像を形成する画像形成手段と、
この画像形成手段で画像が形成される用紙を供給する給紙手段に用紙が無くなった際、当該給紙手段に収納されていた用紙と同じサイズの用紙を収納している他の給紙手段から自動的に用紙を供給して画像形成動作を継続する制御を行う自動給紙制御手段と、
上記複数の給紙手段における給紙手段毎に上記自動給紙制御手段の実行許可、実行禁止を設定する設定手段と、
この設定手段で設定された実行許可、実行禁止の情報を記憶する記憶手段と、
上記複数の給紙手段のうちの１つの給紙手段から供給される用紙に上記画像形成手段で画像を形成中に当該給紙手段に用紙がなくなった際、上記記憶手段に記憶されている他の給紙手段の設定情報が実行許可であった場合に上記自動給紙制御手段を実行する実行手段と、
上記複数の給紙手段のうちの１つの給紙手段から供給される用紙に上記画像形成手段で画像を形成中に当該給紙手段に用紙がなくなった際、上記記憶手段に記憶されている他の給紙手段の設定情報が実行禁止であった場合に当該給紙手段に用紙が無くなったことを表示する表示手段と、
を具備したことを特徴とする画像形成装置。
【請求項１１】
上記判断手段で実行禁止と判断される画像形成条件、または上記禁止手段で禁止される特定の画像形成条件は、両面コピーモード、ページ連写コピーモード、原稿２枚分を用紙１枚に画像形成するコピーモード、ソータ使用コピーモード、表紙モード、シート挿入モードのいずれかであることを特徴とする請求項３または９に記載の画像形成装置。
【請求項１２】
複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成装置の画像形成方法であって、
上記複数の給紙手段における給紙手段毎に上記自動給紙制御手段の実行許可、実行禁止を設定するようにしたことを特徴とする画像形成方法。
【請求項１３】
用紙を供給する複数の給紙手段と、この複数の給紙手段のうちの１つの給紙手段から供給される用紙に画像を形成する画像形成手段と、この画像形成手段で画像が形成される用紙を供給する給紙手段に用紙が無くなった際、当該給紙手段に収納されていた用紙と同じサイズの用紙を収納している他の給紙手段から自動的に用紙を供給して画像形成動作を継続する制御を行う自動給紙制御手段とを有する画像形成装置の画像形成方法であって、
上記画像形成手段で画像を形成する画像形成条件を入力し、
この入力で特定の画像形成条件が入力された際、上記自動給紙制御手段による制御を禁止するようにしたことを特徴とする画像形成方法。
【請求項１４】
用紙を供給する複数の給紙手段と、この複数の給紙手段のうちの１つの給紙手段から供給される用紙に画像を形成する画像形成手段と、この画像形成手段で画像が形成される用紙を供給する給紙手段に用紙が無くなった際、当該給紙手段に収納されていた用紙と同じサイズの用紙を収納している他の給紙手段から自動的に用紙を供給して画像形成動作を継続する制御を行う自動給紙制御手段とを有する画像形成装置の画像形成方法であって、
上記複数の給紙手段における給紙手段毎に上記自動給紙制御手段の実行許可、実行禁止を設定し、
この設定された実行許可、実行禁止の情報を記憶し、
上記複数の給紙手段のうちの１つの給紙手段から供給される用紙に上記画像形成手段で画像を形成中に当該給紙手段に用紙がなくなった際、上記記憶されている他の給紙手段の設定情報が実行許可であった場合に上記自動給紙制御手段を実行し、
上記複数の給紙手段のうちの１つの給紙手段から供給される用紙に上記画像形成手段で画像を形成中に当該給紙手段に用紙がなくなった際、上記記憶手段に記憶されている他の給紙手段の設定情報が実行禁止であった場合に当該給紙手段に用紙が無くなったことを表示するようにしたことを特徴とする画像形成方法。
【請求項１５】
上記実行禁止と判断される画像形成条件、または特定の画像形成条件は、両面コピーモード、ページ連写コピーモード、原稿２枚分を用紙１枚に画像形成するコピーモード、ソータ使用コピーモード、表紙モード、シート挿入モードのいずれかであることを特徴とする請求項６または１３に記載の画像形成方法。